(57)【要約】      （修正有）【課題】別途ハンズフリー装置を用意することを不要とし、かつ、二つの操作の煩雑性を解消する。【解決手段】情報端末に接続されるマウスに音声入力および音声再生機能を具備させ、マウスをハンズフリー装置として機能させることでハンズフリー装置のコストの低減と設置スペースを特別に必要としないハンズフリー通話を可能とする。【選択図】図１
2010081448.tif 000002
【特許請求の範囲】
【請求項１】
情報端末と接続されるマウスにおいて、
音声を音声信号に変換して入力する音声入力手段と、前記音声入力手段が入力した音声信号を前記情報端末へ送信する音声信号送信手段を具備し、
前記情報端末から予め定められた第１のコマンドを受信した場合、または、自マウスにおいて予め定められた第１のクリック操作があった場合に、前記音声信号送信手段は前記情報端末への音声信号の送信を開始し、前記情報端末から予め定められた第２のコマンドを受信した場合、または、自マウスにおいて予め定められた第２のクリック操作があった場合に、前記音声信号送信手段は前記情報端末への音声信号の送信を停止することを特徴とする音声入力機能を有するマウス。
【請求項２】
情報端末と接続されるマウスにおいて、
前記情報端末から音声信号を受信する音声信号受信手段と、前記音声信号受信手段が受信した音声信号を音声に再生する音声再生手段を具備し、
前記情報端末から予め定められた第１のコマンドを受信した場合、または、自マウスにおいて予め定められた第１のクリック操作があった場合に、前記音声信号受信手段は前記情報端末からの音声信号の受信を開始し、前記情報端末から予め定められた第２のコマンドを受信した場合、または、自マウスにおいて予め定められた第２のクリック操作があった場合に、前記音声信号受信手段は前記情報端末からの音声信号の受信を停止することを特徴とする音声再生機能を有するマウス。
【請求項３】
情報端末と接続されるマウスにおいて、音声を音声信号に変換して入力する音声入力手段と、前記音声入力手段が入力した音声信号を前記情報端末へ送信する音声信号送信手段と、前記情報端末から音声信号を受信する音声信号受信手段と、前記音声信号受信手段が受信した音声信号を音声に再生する音声再生手段を具備し、前記情報端末から予め定められた第１のコマンドを受信した場合、または、自マウスにおいて予め定められた第１のクリック操作があった場合に、前記音声信号送信手段は前記情報端末への音声信号の送信を開始し、前記音声信号受信手段は前記情報端末からの音声信号の受信を開始し、前記情報端末から予め定められた第２のコマンドを受信した場合、または、自マウスにおいて予め定められた第２のクリック操作があった場合に、前記音声信号送信手段は前記情報端末への音声信号の送信を停止し、前記音声信号受信手段は前記情報端末からの音声信号の受信を停止することを特徴とする音声入力および音声再生機能を有するマウス。
【請求項４】
請求項１から３のいずれかに記載のマウスであって、
前記第１のクリック操作は、一定時間内に３回以上クリックする操作、または、クリックキーを一定時間以上押しつづける操作のいづれかを含むことを特徴とする音声入力および音声再生機能を有するマウス。
【請求項５】
請求項１から３のいずれかに記載のマウスであって、
自マウスはスクロールキーを有し、自マウスにおいて予め定められた第３のクリック操作があった場合に、前記音声再生手段が音声再生する際の音量を、前記スクロールキーを操作して音量調整する手段を有することを特徴とする音声入力および音声再生機能を有するマウス。
【請求項６】
請求項３に記載のマウスであって、音声入力を停止する手段をさらに有し、前記音声入力停止手段は、第４の特定操作が為された場合に、音声入力を停止することを特徴とする音声入力および音声再生機能を有するマウス。
【発明の詳細な説明】
【技術分野】
【０００１】
本発明は、情報端末に接続され、ハンズフリーによる音声入力および音声再生機能を有
するマウスに関するものである。
【背景技術】
【０００２】
通話相手とハンズフリーにて通話することは広く行なわれているが、従来技術（特許文献１）においては、ハンズフリー通話機能を有する装置（ハンズフリー通話装置という）と回線制御機能を有する装置（回線制御装置という）を使用してハンズフリー通話を実現している。
したがって、従来技術でハンズフリー通話を行うには、ハンズフリー通話装置と回線制御装置を用意する必要があると共に、机上に少なくともハンズフリー通話装置を設置するスペースが必要であるため、その分不経済であった。
【０００３】
近年、情報端末（ＰＣ）が広く一般に普及したので、情報端末（ＰＣ）に通話用アプリケーション（ソフトホン）を搭載することにより、情報端末（ＰＣ）にて発信、着信、通話操作を行い、それに関連した回線制御を情報端末（ＰＣ）にて行えるようになっている。したがって、ハンズフリー通話装置を用意し、情報端末（ＰＣ）に接続することによりハンズフリー通話を実現することが出来るようになっている。
【特許文献１】特開平１‐１７３３４
【発明の開示】
【発明が解決しようとする課題】
【０００４】
しかし、上記した情報端末（ＰＣ）とハンズフリー通話装置を用いる場合には、回線制御装置を別途に用意しなくてもよいという効果はあるが、ハンズフリー通話装置を別途用意しなければならないという問題と、発信、着信、通話操作のために、情報端末に接続されたマウスを操作し、一方ハンズフリー通話のためにハンズフリー通話装置を操作する必要があるという操作上の煩雑さの問題があった。
【０００５】
本発明は、かかる問題に鑑みなされたもので、マウスにハンズフリー機能を一体化することによりハンズフリー通話装置を別途用意することを不要とし、且つ、マウス操作およびハンズフリー通話装置操作という二つの操作の煩雑性を解消することにある。
【課題を解決するための手段】
【０００６】
上記課題を解決するために本発明は、情報端末と接続されるマウスにおいて、音声を音声信号に変換して入力する音声入力手段と、前記音声入力手段が入力した音声信号を前記情報端末へ送信する音声信号送信手段と、前記情報端末から音声信号を受信する音声信号受信手段と、前記音声信号受信手段が受信した音声信号を音声に再生する音声再生手段を具備し、前記情報端末から予め定められた第１のコマンドを受信した場合、または、自マウスにおいて予め定められた第１のクリック操作があった場合に、前記音声信号送信手段は前記情報端末への音声信号の送信を開始し、前記音声信号受信手段は前記情報端末からの音声信号の受信を開始し、前記情報端末から予め定められた第２のコマンドを受信した場合、または、自マウスにおいて予め定められた第２のクリック操作があった場合に、前記音声信号送信手段は前記情報端末への音声信号の送信を停止し、前記音声信号受信手段は前記情報端末からの音声信号の受信を停止することを特徴とする音声入力および音声再生機能を実現することにより課題を解決するものである。
【発明の効果】
【０００７】
本発明によれば、ハンズフリー通話装置の機能はマウスに一体化されるので、別途ハンズフリー通話装置を用意することは不要であり、その分設置スペースが削減可能となる効果がある。
【０００８】
さらに本発明のマウスは、情報端末に対しては一般のマウスと同様の機能有するので、マウスを操作することにより、情報端末に搭載した通話用アプリケーション（ソフトホン）を起動し、起動後マウス操作により発信操作、および着信応答操作が可能であり、それに加えて、本発明のマウスは、音声入力および音声再生機能を有するので、特別にハンズフリー通話装置を用意することなく、マウス操作により、通話状態において、ハンズフリー通話を実現できるとため、マウスとハンズフリー通話装置の両方の操作を必要とする操作上の煩雑さを解消できるという効果がある。
【発明を実施するための最良の形態】
【０００９】
以下、図面を用いて本発明を実施するための最良の形態を詳細に説明する。
図１は、本発明の音声入力および音声再生機能を有するマウスの全体構成図である。本発明のマウスは、一般のマウスと同じような情報端末操作機能を有しているだけでなく、音声入力および音声再生機能を有している点が特徴である。
【００１０】
図１で示すように、本発明にかかわる音声入力および音声再生機能を有するマウスは、マイク１と、スピーカ２、および主制御部３より構成される。
【００１１】
ハンズフリー通話においては、マイク１によって、入力音声はアナログ電気信号に変換され、アナログ電気信号は主制御装置３においてディジタル音声信号（以下、単に「音声信号」と称する）に変換され、情報端末１０１を経由して  通話相手装置へ送付される。
【００１２】
また、相手と通話モードにない時であっても、マイク１からの入力音声は、マイク１によって、アナログ電気信号に変換され、さらに主制御装置３において音声信号に変換され、録音の必要があるときは、主制御装置３より情報端末１０１へ送付され、記憶媒体に音声信号として記憶され、録音される。
【００１３】
相手装置から着信があった場合には、情報端末１０１より送られてくる着信音信号が主制御装置３で、着信音を表現するアナログ電気信号に変換され、スピーカ２によって、該アナログ電気信号は、着信音として再生され、マウスより送出される。
【００１４】
ハンズフリー通話においては、通話相手の音声は音声信号として送付されてくるが、主制御装置３によって、該音声信号はアナログ電気信号に変換され、スピーカ２によって、該アナログ電気信号は、通話相手からの音声として再生される。
【００１５】
また、相手と通話モードにない時には、情報端末１０１からの送られてくるＢＧＭ・録音音声等を表示する信号が、主制御装置３によって、対応するアナログ電気信号に変換され、スピーカ２によって、ＢＧＭ・録音音声等として再生される。
【００１６】
主制御部３は、制御部３１、音声信号処理部３２、メモリ部３３、表示部３４、マウス操作部３５、操作制御部３６，音声系ＵＳＢ‐ＩＦ（インタフェース）部３７、操作系ＵＳＢ‐ＩＦ（インタフェース）部３８、データ多重部３９、電源部４０で構成される。
【００１７】
制御部３１は、図示されていないプロセッサを有し、該プロセッサのソフトウェア処理機能により主制御部３内の各機能ブロックの制御を行い、情報端末１０１と連携し各種機能を実現する。
【００１８】
音声信号処理部３２は、送話増幅器３２１、受話増幅器３２２、Ａ／Ｄ変換部３２３、Ｄ／Ａ変換部３２４、符号化部３２５、復号化部３２６で構成される。
【００１９】
入力音声は、マイク１によってアナログ電気信号に変換され、音声信号処理部３２の送話増幅器３２１に入力され、送話増幅器３２１により所定の信号レベルに変換され、さらにＡ／Ｄ変換部３２３、符号化部３２５によって、所望の音声信号に変換される（この一連の処理を行う部分を音声入力手段と称する）。
【００２０】
該音声信号は、マウス操作部３５による操作に応じた制御部３１の指示により、情報端末１０１へ送信され、あるいは送信停止される（この一連の処理を行う部分を音声信号送出手段と称する）。
【００２１】
通話相手の音声は、通話相手より音声信号として送られ、復号化部３２６に入力され（これを音声信号受信手段と称する）、復号化された後、さらにＤ／Ａ変換部３２４によって、対応するアナログ電気信号に変換され、受話増幅器３２２により所望の受話音量となる信号レベルに変換され、スピーカ２によって通話相手の音声として再生され、送出される（この一連の処理を行う部分を音声再生手段と称する）。
【００２２】
Ａ／Ｄ変換部３２３は、アナログ信号をディジタル信号に変換し、Ｄ／Ａ変換３２４は、ディジタル信号をアナログ信号に変換する。符号化部３２５はディジタル信号を適切な符号形式に圧縮し、音声信号として音声系ＵＳＢ‐ＩＦ部３７へ送信する。
【００２３】
復号化部３２６は音声系ＵＳＢ‐ＩＦ部３７から送られてくる圧縮された符号形式の音声信号を伸張して、Ｄ／Ａ変換部３２４に適したディジタル信号としてＤ／Ａ変換部３２４へ送付する。該ディジタル信号は、該Ｄ／Ａ変換部３２４によってアナログ電気信号に変換される。
【００２４】
メモリ部３３は、制御部３１にある図示されないプロセッサの処理を実現するためのプログラムを格納する。
【００２５】
表示部３４は、発光ダイオードにより、受話ボリュームの音量調節表示を行うとともに、液晶表示によりキー入力情報を表示し、本発明のマウスの状態が把握できるようにする。
【００２６】
マウス操作部３５は、右クリック操作部３５１、左クリック操作部３５２およびスクロール操作部３５３より構成されている。これら操作部３５１，３５２，３５３はいずれも情報端末１０１を操作するのに一般的に用いられているのと同じ機能を有するほかに、本発明のハンズフリー通話を実現するために、特別の機能を有する。
【００２７】
本発明のマウスにおいて、音声信号の送信・受信開始のきっかけとなる第1のクリック操作は、「右クリックを一定時間内に３回押す」、または「右クリックを一定時間以上押し続ける」ことにより有効となる。
【００２８】
同じく本発明のマウスにおいて、音声信号の送信・受信停止のきっかけとなる第２のクリック操作は、「左クリックを一定時間内に３回押す」、または「左クリックを一定時間以上押し続ける」ことにより有効となる。
【００２９】
同じく本発明のマウスにおいて、受話音量の調整のための第３のクリック操作は、「右クリックを押しながらスクロール操作を行う」ことによりボリューム調整が可能となる。
【００３０】
同じく本発明のマウスにおいて、マウスの音声入力を停止させる第４のクリック操作は、「左クリックを一定時間内に２回押す」ことにより有効となる。また、音声入力停止を解除する場合は、第４のクリック操作を再度行うことで有効となる。
【００３１】
操作制御部３６は、マウス操作部３５の操作が行われた時に、情報端末操作するための操作に関する信号を抽出して、操作系ＵＳＢ‐ＩＦ部３８へ送信する機能を有する。
【００３２】
音声系ＵＳＢ‐ＩＦ部３７は、音声信号として効率的な符号化規則とＵＳＢインターフェース１０１‐１で規定されている音声符号化規則間の相互変換処理を行う。
【００３３】
操作系ＵＳＢ‐ＩＦ部３８は、情報端末１０１の制御を行うため、ＵＳＢインターフェース１０１‐１で規定された命令仕様への変換処理（例えば、ＵＳＢ２．０：Ｕｎｉｖｅｒｓａｌ  Ｓｅｒｉａｌ  ＢｕｓやＵＳＢ３．０等、シリアルバス規格に準拠した処理）を行う。
【００３４】
データ多重部３９は、音声系ＵＳＢ‐ＩＦ部３７と操作系ＵＳＢ‐ＩＦ部３８のＵＳＢ上の送受信信号の多重を行い本発明マウスと情報端末１０１との通信を可能とする。
【００３５】
電源部４０は、ＵＳＢインターフェース１０１‐１から供給される電源を使用し、本マウスで使用する各種電圧を作成し、各部へ供給する。
【００３６】
情報端末１０１はアプリケーションプログラム１０２を具備する。情報端末１０１はパソコン等の情報端末でありＵＳＢインターフェース１０１‐１とＬＡＮインターフェース１０１‐２を有し、アプリケーションプログラム１０２は、ＵＳＢインターフェース１０１‐１を経由して、マウス操作、テンキー操作を解釈し、一方ＬＡＮインターフェース１０１‐２を経由して、ＩＰ網との電話の発着信制御を実行する。
【００３７】
図２は、本発明のマウスの動作のフローチャートを示す。
【００３８】
本発明のマウスがＵＳＢインターフェース１０１‐１によって、情報端末１０１に接続されるとＵＳＢインターフェース１０１‐１を経由して、情報端末１０１より電源が供給され、電源部４０より各部へ必要な電源が供給される。電源供給を受けマウス操作部３５も自動的に起動され、制御部３１は処理プログラムによってマウス操作部起動を認識する（Ｓ１００２）。
【００３９】
ユーザが第１のクリック操作を行うと制御部３１はそれを認識し（Ｓ１００３のＹＥＳ）、音声信号処理部３２に対して、情報端末１０１への音声信号の送信開始および情報端末１０１からの音声信号の受信開始を指示する（Ｓ１００５）。
【００４０】
ユーザが第一のクリック操作を行わない場合には、制御部３１は情報端末１０１からのコマンドを監視へ移行する（Ｓ１００３のＮＯ）。情報端末１０１からの第１のコマンドの受信を認識すると（Ｓ１００４のＹＥＳ）、ユーザの第１のクリック操作と同じように制御部３１は音声信号処理部３２に対して、情報端末１０１への音声信号の送信開始および情報端末１０１からの音声信号の受信開始を指示する（Ｓ１００５）。
【００４１】
音声信号処理部３２は制御部３１から音声信号の送信開始および受信開始の指示を受けると図２のフローチャートには記載されていないが、図１の説明で詳述したようにスピーカ２からの入力音声を送話増幅器３２１、Ａ／Ｄ変換部３２３、符号化部３２５によって音声信号に変換し、音声系ＵＳＢ‐ＩＦ部３７、データ多重部３９およびＵＳＢインターフェース１０１‐１を経て情報端末１０１へ送信開始する。情報端末１０１は該音声信号をＩＰ網を経由して相手情報端末に送付する。
【００４２】
また、情報端末１０１はＩＰ網を経由して、相手情報端末からの音声信号を受信し、該音声信号をＵＳＢインターフェース１０１‐１、データ多重部３９および音声系ＵＳＢ‐ＩＦ部３７を経由して、音声信号処理部３２へ転送開始し、音声信号処理部３２は相手情報端末からの該音声信号を受信開始する。受信した該音声信号を音声信号処理部３２は、復号化３２６、Ｄ／Ａ変換３２４および受話増幅器３２２によって、アナログ電気信号に変換され、さらにスピーカ２によって該アナログ電気信号は、通話相手の音声として再生される。
【００４３】
このとき制御部３１が第３のクリック操作およびスクロール操作を検出すると（Ｓ１００６のＹＥＳ）、音量調整の要請とし判断し、音量調整を行う（Ｓ１００７）。音量調整は図１の説明で述べたように、制御部３１より受話増幅器３２２のゲインを調整することによりお行われる。
【００４４】
音量調整が終了または音量調整の必要がないとき（Ｓ１００６のＮＯ）は、第４のクリック操作の有無を監視する（Ｓ１００８）。第４のクリック操作が検出されると（Ｓ１００８のＹＥＳ）、制御部３１は音声信号処理部３２に対して、音声入力の停止を指示する（Ｓ１００９）。具体的には、制御部３１が音声信号処理部３２にある送話増幅器３２１をＯＦＦすることによって音声入力が停止される。これによって、ユーザは自己の音声が相手情報端末に送付されるのを停止することができる。これはハンズフリー通話状態では、すべての音声が相手に送付されるので、特に相手に送付されるのを回避したい場合に有効な機能として準備されたものである。
【００４５】
一度、停止された音声入力は、ユーザが再度、第４のクリック操作することで解除される。すなわち、第４のクリック操作を再度検出すると（再びＳ１００８：ＹＥＳ）、制御部３１は音声信号処理部３２に対して、音声入力停止の解除を指示する（Ｓ１００９）。
これによって、ユーザはハンズフリー通話状態に戻ることができる。
【００４６】
制御部３１が、第２のクリック操作を検出すると（Ｓ１０１０：ＹＥＳ）、音声信号処理部３２に対して、情報端末１０１への音声信号の送信停止および情報端末１０１からの音声信号の受信停止を指示する。第２のクリック操作に代わって、情報端末１０１からの第２のコマンドを受信すると（Ｓ１０１１：ＹＥＳ）、同じように音声信号処理部３２に対して、情報端末１０１への音声信号の送信停止および情報端末１０１からの音声信号の受信停止を指示する。これによって、ハンズフリー通話状態は解除される（Ｓ１０１３）。
【００４７】
以上、本発明のマウスに具備された音声入力および音声再生機能のよるハンズフリー通話について、図１、図２を用いて詳述したが、本発明のマウスは、構内一斉放送、緊急事態発生時の警告用等の端末としても利用することができ、ハンズフリー通話用に限定されるものでないことを付言する。
【図面の簡単な説明】
【００４８】
【図１】本発明のマウスの全体構成図
【図２】本発明のマウスの動作フローチャート
【符号の説明】
【００４９】
１：  マイク
２：  スピーカ
３：  主制御部
３１：  制御部
３２：  音声信号処理部
３３：  メモリ部
３４：  表示部
３５：  マウス操作部
３６：  操作制御部
３７：  音声系ＵＳＢ‐ＩＦ部
３８：  操作系ＵＳＢ‐ＩＦ部
３９：  データ多重部
４０：  電源部
１０１：  情報端末
１０２：  アプリケーションプログラム
１０１‐１：  ＵＳＢインターフェース
１０１‐２：  ＬＡＮインターフェース
３２１：  送話増幅器
３２２：  受話増幅器
３２３：  Ａ／Ｄ変換部
３２４：  Ｄ／Ａ変換部
３２５：  符号化部
３２６：  復号化部
３５１：  右クリック操作部
３５２：  左クリック操作部
３５３：  スクロール操作部
【図１】
2010081448.tif 000003
【図２】
2010081448.tif 000004